(57)【要約】【課題】バッテリーの充電時の電力の消費量をなるべく抑え、また、短時間でバッテリーの充電を開始できる電子機器を提供することを目的とする。【解決手段】バッテリーと、記憶媒体と、外部機器と接続可能である接続手段と、自装置を制御する制御手段と、を備え、接続手段は、接続されている外部機器から電力供給を受けるバスパワー機能と、接続されている外部機器から記憶媒体内の参照を受け付けるマスストレージ機能とに対応でき、制御手段は、接続手段がバスパワー機能に対応する場合と、マスストレージ機能に対応する場合とで、自装置のうち初期化動作を行う範囲を異ならせる。【選択図】図１
2011139251.tif 000002
【特許請求の範囲】
【請求項１】
バッテリーと、
記憶媒体と、
外部機器と接続可能である接続手段と、
自装置を制御する制御手段と、を備え、
前記接続手段は、接続されている外部機器から電力供給を受けるバスパワー機能と、接続されている外部機器から前記記憶媒体内の参照を受け付けるマスストレージ機能とに対応でき、
前記制御手段は、前記接続手段が前記バスパワー機能に対応する場合と、前記マスストレージ機能に対応する場合とで、自装置のうち初期化動作を行う範囲を異ならせる、
電子機器。
【請求項２】
前記制御手段は、
前記接続手段が前記バスパワー機能に対応する場合には、自装置のうち前記バスパワー機能を実行するのに必要な部分のみを初期化し、前記マスストレージ機能に対応する場合には、自装置の全体を初期化する、
請求項１に記載の電子機器。
【発明の詳細な説明】
【技術分野】
【０００１】
本発明は電子機器に関し、特に、２種類以上の電源から供給される電力を選択的にバッテリーに充電できる電子機器に関する。
【背景技術】
【０００２】
特許文献１は、コンピュータから受信したコマンドに応じて、電源を外部電源から得るかＵＳＢバスパワーから得るかを決定するデジタルカメラを開示する。特許文献１に開示されているコンピュータは、ユーザからモードの設定を受け付けるのに応じて、デジタルカメラに電源の供給源を変更するコマンドを発行する。
【０００３】
これにより、ユーザは、バッテリー容量やＡＣアダプタの接続を意識することなく、画像データの転送やリモート撮影を行うことができる画像入力システムを提供できる。
【先行技術文献】
【特許文献】
【０００４】
【特許文献１】特開２００６−３５２２５５号公報
【発明の概要】
【発明が解決しようとする課題】
【０００５】
本発明は、バッテリーの充電時の電力の消費量をなるべく抑え、また、短時間でバッテリーの充電を開始できる電子機器を提供することを目的とする。
【課題を解決するための手段】
【０００６】
上記課題を解決するために、本発明にかかる電子機器は、バッテリーと、記憶媒体と、外部機器と接続可能である接続手段と、自装置を制御する制御手段と、を備え、接続手段は、接続されている外部機器から電力供給を受けるバスパワー機能と、接続されている外部機器から記憶媒体内の参照を受け付けるマスストレージ機能とに対応でき、制御手段は、接続手段がバスパワー機能に対応する場合と、マスストレージ機能に対応する場合とで、自装置のうち初期化動作を行う範囲を異ならせる。
【発明の効果】
【０００７】
本発明によれば、バッテリーの充電時の電力の消費量をなるべく抑え、また、短時間でバッテリーの充電を開始できる電子機器を提供できる。
【図面の簡単な説明】
【０００８】
【図１】デジタルカメラ１００の構成を示すブロック図
【図２】ＵＳＢ接続に関する起動シーケンスを説明するための模式図
【図３】充電モード開始動作を説明するためのフローチャート
【図４】Mass Storage 開始動作を説明するためのフローチャート
【発明を実施するための形態】
【０００９】
〔１．実施の形態１〕
本発明をデジタルビデオカメラに適用した実施の形態１について図面を用いて説明する。
【００１０】
〔１−１．概要〕
デジタルビデオカメラ１００は、ＵＳＢ２９０を有する。デジタルビデオカメラ１００は、ＵＳＢ２９０に接続されたパソコン等の外部機器から電力の供給を受けることができる。また、デジタルビデオカメラ１００は、ＵＳＢ２９０に接続されたパソコン等の外部機器内の記憶媒体内を参照することができる。
【００１１】
デジタルビデオカメラ１００は、バッテリーの充電時の電力の消費量をなるべく抑え、また、短時間でバッテリーの充電を開始できる。
【００１２】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１３】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１４】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１５】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１６】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１７】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００１８】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、Ｈ．２６４規格やＭＰＥＧ２規格に準拠した圧縮形式等により画像データを圧縮する。画像処理部１９０は、ＤＳＰやマイコンなどで実現可能である。
【００１９】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２０】
メモリ２００は、画像処理部１９０及びコントローラー２１０のワークメモリとして機能する。メモリ２００は、例えば、ＤＲＡＭ、強誘電体メモリなどで実現できる。
【００２１】
液晶モニタ２７０は、ＣＣＤイメージセンサー１８０で生成した画像データが示す画像や、メモリカード２４０から読み出した画像データが示す画像を表示可能である。
【００２２】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２３】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２４】
内部メモリ２８０は、フラッシュメモリや強誘電低メモリなどで構成される。内部メモリ２８０は、デジタルビデオカメラ１００全体を制御するための制御プログラム等を格納する。
【００２５】
操作部材２５０は、使用者から画像の撮像指示を受け付ける部材である。ズームレバー２６０は、使用者からズーム倍率の変更指示を受け付ける部材である。
【００２６】
USB２９０は、デジタルビデオカメラ１００とパソコン等の外部機器とを接続するためのインターフェースである。例えば、デジタルビデオカメラ１００のUSB２９０とパソコン等の外部機器とは、USBケーブルを介して接続することができる。デジタルビデオカメラ１００は、USB２９０を介して、外部機器から電力供給を受けたり、データを受信したりすることができる。
【００２７】
ACアダプタ接続端子３００は、デジタルビデオカメラ１００とACアダプタとを接続するためのインターフェースである。例えば、デジタルビデオカメラ１００のACアダプタ接続端子３００と家庭用コンセントは、ACアダプタを介して接続することができる。デジタルビデオカメラ１００は、ACアダプタ接続端子３００を介して、ACアダプタから電力供給を受けることができる。
【００２８】
バッテリー３１０は、デジタルビデオカメラ１００に電力を供給するための充電池である。例えば、デジタルビデオカメラ１００においては、リチウムイオン電池で構成される。なお、バッテリー３１０は、必ずしもリチウムイオン電池で構成される必要はなく、ニッケル水素電池やニッカド電池等で構成されていてもよい。要するにバッテリー３１０は充電池であればよい。
【００２９】
〔１−２−２．本発明との対応〕
バッテリー３１０は、本発明のバッテリーの一例である。ＵＳＢ２９０は、本発明の接続手段の一例である。コントローラー２１０は、本発明の制御手段の一例である。
【００３０】
〔１−３．動作〕
本実施の形態にかかるデジタルビデオカメラ１００の各種動作について図面を用いて説明する。
【００３１】
〔１−３−１．USB接続に関する起動シーケンス〕
デジタルビデオカメラ１００のUSB接続に関する起動シーケンスについて図２を用いて説明する。図２は、USB接続に関する起動シーケンスを説明するためのフローチャートである。
【００３２】
使用者は、パソコン等の外部機器に接続されているUSBケーブルをデジタルビデオカメラ１００に接続することができる（S100）。USBケーブルがデジタルビデオカメラ１００に接続されると、コントローラー２１０は、操作部材２５０のうちの電源スイッチがOFFであるかを判断する（S110）。
【００３３】
電源スイッチがOFFであると判断すると、コントローラー２１０は、充電モード開始動作に入る（S120）。一方、電源スイッチがOFFでないと判断すると、コントローラー２１０は、Mass Storage 開始動作に入る（S120）。
【００３４】
以下、充電モードの開始動作及びMass Storage の開始動作について説明する。
【００３５】
〔１−３−２．充電モードの開始動作〕
次に、充電モードの開始動作について図３を用いて説明する。図３は充電モード開始動作を説明するためのフローチャートである。
【００３６】
充電モード開始動作に入ると、コントローラー２１０は、USBブロックの初期化を行う（S210）。ここで、USBブロックの初期化とは、デジタルビデオカメラ１００が、パソコン等の外部装置から電力供給を受けたり、データを送受信したりするために必要最低限のブロックを初期化することである。USBブロックの初期化を完了すると、コントローラー２１０は、USB初期通信を開始する（S220）。ここで、USB初期通信とは、デジタルビデオカメラ１００が、パソコン等の外部機器とUSBケーブルで接続されたときに行う動作である。具体的には、デジタルビデオカメラ１００は、USB初期通信において、自装置の機能や特徴をパソコン等の外部機器に通知したり、パソコン等の外部機器の電流供給能力を確認したりする。
【００３７】
初期通信を完了すると、コントローラー２１０は、初期通信の結果を基に、接続された外部機器から500mAの電流を引き込み可能であるかを判定する（S230）。
【００３８】
接続された外部機器から500mAの電流を引き込み可能でないと判定した場合、コントローラー２１０は、本体の電源をOFFする（S２４０）。ここで、本体の電源をOFFするとは、デジタルビデオカメラ１００のうち、コントローラー２１０内の充電ブロック以外の部分の電源をOFFすることである。本体の電源をOFFすると、コントローラー２１０は、ACアダプタ接続端子３１０にACアダプタが接続されているかどうかを判定する（S250）。ACアダプタが接続されていると判定すると、コントローラー２１０は、ACアダプタによる充電を開始する（S260）。一方、ACアダプタが接続されていないと判定すると、コントローラー２１０は、USB２９０を介した充電を開始せず、デジタルビデオカメラ１００に設けられた不図示の電源LEDをエラー点滅して充電エラー状態に入る（S２７０）。
【００３９】
一方、ステップS２３０で、接続された外部機器から500mAの電流を引き込み可能であると判定した場合、コントローラー２１０は、USB充電設定を行う（S280）。具体的には、コントローラー２１０は、USB充電を行う際の電流値を設定することによりUSB充電設定を行う。USB充電設定を行うと、コントローラー２１０は、本体の電源をOFFする（S290）。本体の電源をOFFすると、コントローラー２１０は、ACアダプタ接続端子３１０にACアダプタが接続されているかどうかを判定する（S300）。コントローラー２１０は、ACアダプタが接続されていると判定すると、ACアダプタによる充電を開始する（S310）。一方、ACアダプタが接続されていないと判定すると、コントローラー２１０は、USB２９０を介した充電を開始する（S320）。なお、この場合には、コントローラー２１０は、USB２９０を介して５００mＡを引き込んで充電を開始する。
【００４０】
このように、本実施の形態にかかるデジタルビデオカメラ１００は、USBケーブルが接続されている状態での充電モードの開始動作を行う際に、例え、ACアダプタが接続されていたとしても、一旦、自装置内のUSB２９０の初期化を行い、USB２９０を介した初期通信を行う。そして、デジタルビデオカメラ１００は、USB２９０の初期化及び初期通信を行った後に、コントローラー２１０のうち充電に用いるブロックを除く部分について電源をOFFし、その後にACアダプタによる充電を開始することとした。
【００４１】
これにより、ACアダプタとUSBケーブルとが接続されており、ACアダプタによる充電がされている状態において、ACアダプタの接続が解除されたとしても、デジタルビデオカメラ１００は、USBケーブルを介した充電を開始する際に、USBブロックの初期化やUSBの初期通信をする必要がない。従って、このような場合においても、デジタルビデオカメラ１００は、迅速にUSB２９０を介した充電動作を開始できる。
【００４２】
また、デジタルビデオカメラ１００は、USBケーブルで接続されたパソコン等の外部機器の引き込み電流が500mAより少なく、ACアダプタも接続されていない場合には、USB２９０を介した充電をしないこととした。このようにした理由について説明する。
【００４３】
バッテリー３１０の充電が開始されると、不図示の電源LEDは充電用の点滅をする。例えば、外部機器からの引き込み電流が小さい場合にもUSB２９０を介した充電を行うとする。すると、引き込み電流が小さい場合でも、十分な電流を引き込める場合でも、電源LEDは、同様な点滅をする。使用者は、バッテリー３１０の充電の完了を電源LEDの点滅の終了を確認することにより行う。従って、引き込み電流が小さい場合にUSB２９０を介した充電を行い、十分な引き込み電流が得られる場合と同様に電源LEDを点滅させると、使用者は、いつバッテリー３１０の充電が完了するかを予測できない。また、外部機器から引き込める電流が非常に小さい場合にUSB２９０を介した充電を行おうとすると、バッテリー３１０の充電の完了に長時間を要したり、そもそも充電自体ができなかったりする。従って、デジタルビデオカメラ１００は、USBケーブルで接続されたパソコン等の外部機器の引き込み電流が500mAより少なく、ACアダプタも接続されていない場合には、USB２９０を介した充電をしないこととした。
【００４４】
また、デジタルビデオカメラ１００は、ACアダプタと外部機器に接続されたUSBケーブルとの両方が接続されている場合には、ACアダプタを電源としてバッテリー３１０の充電を行うこととした。これは、ACアダプタとUSB２９０を介して接続された外部機器とでは、ACアダプタからの方が大きな電流を引き込めるからである。ACアダプタを電源としてバッテリー３１０の充電を行うことで、デジタルビデオカメラ１００は、USB２９０を介して行う充電よりも短時間でバッテリー３１０の充電を完了できる。
【００４５】
〔１−３−３．Mass Storage の開始動作〕
次に、Mass Storage 開始動作について図４を用いて説明する。図４はMass Storage 開始動作を説明するためのフローチャートである。ここで、Mass Strageとは、デジタルビデオカメラ１００が、ＵＳＢ２９０を介して接続されている外部機器から、自装置内の記憶媒体（メモリカード２４０）内の参照を受け付けることが可能な状態で動作することをいう。
【００４６】
Mass Storage 開始動作に入ると、コントローラー２１０は、デジタルビデオカメラ１００の全ての機能を動作させるために必要な自装置全体の初期化を行う（S３１０）。自装置全体の初期化を完了すると、コントローラー２１０は、USB初期通信を行う（S３２０）。USB初期通信とは、デジタルビデオカメラ１００が、パソコン等の外部機器とUSBケーブルで接続されたときに行う動作である。具体的には、自装置の機能や特徴をパソコン等の外部機器に通知したり、パソコン等の外部機器の電流供給能力を確認したりする。
【００４７】
初期通信を完了すると、コントローラー２１０は、初期通信の結果を基に接続された外部機器から500mAの電流を引き込み可能であるかを判定する（S330）。
【００４８】
接続された外部機器から500mAの電流を引き込み可能であると判定した場合、コントローラー２１０は、バッテリー３１０の残量が10%以上であればMass Storage 動作を許可する旨決定する（S340）。
【００４９】
Mass Storage動作を許可する旨を決定すると、コントローラー２１０は、バッテリー３１０の残量が10%以上であるかを判定する（S３５０）。１０％以上であると判定すると、コントローラー２１０は、Mass Storage動作を行うようUSB２９０を制御する（S360）。なお、この場合において、デジタルビデオカメラ１００は、USB２９０を介して外部機器から５００mＡを引き込んで動作している。一方、残量が10%以上でないと判定すると、コントローラー２１０は、「バッテリー残量不足のためMass Storage動作できない旨の警告」を表示するよう液晶モニタ２７０を制御し、Mass Storage動作させないようUSB２９０を制御する（S370）。なお、この場合には、デジタルビデオカメラ１００は、USB２９０を介して、外部機器から５００mＡを引き込んで動作している。
【００５０】
一方、ステップS３３０で、接続された外部機器から500mAの電流を引き込み不可であると判定した場合、コントローラー２１０は、バッテリー３１０の残量が20%以上であればMass Storage動作を許可する旨決定する（S380）。Mass Storage動作を許可する旨を決定すると、コントローラー２１０は、バッテリー３１０の残量が２0%以上であるかを判定する（S３9０）。２０％以上であると判定すると、コントローラー２１０は、Mass Storage動作を行うようUSB２９０を制御する（S400）。なお、この場合には、デジタルビデオカメラ１００は、USB２９０を介して外部機器から電流を引き込まない。一方、残量が20%以上でないと判定すると、コントローラー２１０は、「バッテリー残量不足のため、Mass Storage動作できない旨の警告」を表示するよう液晶モニタ２７０を制御し、Mass Storage動作させないようUSB２９０を制御する（S410）。なお、この場合には、デジタルビデオカメラ１００は、USB２９０を介して外部機器から電流を引き込まない。
【００５１】
このように、本実施の形態にかかるデジタルビデオカメラ１００は、外部機器とUSB２９０を介して接続されている場合において、Mass Storage 動作をUSB２９０に行わせる際に、外部機器から引き込める電流の大きさに応じて、Mass Storage 動作を行わせるために最低限必要なバッテリー３１０の残量の大きさを異ならせている。具体的には、外部機器から引き込める電流の大きさが所定値（５００mＡ）よりも大きい場合には、最低限必要なバッテリー３１０の残量を１０％とし、外部機器から引き込める電流の大きさが所定値よりも小さい場合には、最低限必要なバッテリー３１０の残量を２０％としている。
【００５２】
これにより、デジタルビデオカメラ１００は、外部機器から電流を引き込んでいる場合には、バッテリー３１０の残量が少ない場合であっても Mass Storage 動作をするが、外部機器から電流を引き込んでいない場合には、バッテリー３１０の残量がある程度なければ Mass Strage 動作をしない。その結果、デジタルビデオカメラ１００は、バッテリー残量が少ない状態でもなるべく動作することができ、かつ、外部機器とデータの送受信を行っている最中に電源が落ちることをなるべく防止することができる。
【００５３】
また、本実施の形態にかかるデジタルビデオカメラ１００は、充電モード開始動作における初期化動作（図３のステップS２１０）と、Mass Storage 開始動作における初期化動作（図４のステップS３１０）とで、初期化するブロックを異ならせている。具体的には、デジタルビデオカメラ１００は、Mass Storage 開始動作における初期化動作においては、自装置の全体の初期化を行うのに対し、充電モード開始動作における初期化動作においては、パソコン等の外部装置から電力供給を受けたり、データを送受信したりするために必要最低限のブロックのみを初期化する。
【００５４】
これにより、デジタルビデオカメラ１００は、Mass Storage 動作を行う際に必要な消費電力よりも小さな消費電力でUSB２９０を介した充電を行うことができる。また、デジタルビデオカメラ１００は、USB２９０を介した充電を開始する際に、充電に必要なブロックしか初期化しないため、自装置の全体を初期化してから充電を開始するよりも短時間で充電を開始できる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００５５】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００５６】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００５７】
また、実施の形態1では、充電開始動作を許可するか否かの判断に用いる引き込み可能な電流値を500mAとしたが、本発明はこれに限定されない。例えば１００mＡや２００mＡであってもよい。要するに、充電に必要なブロックを起動するのに足りる容量であればいくらであってもよい。
【００５８】
また、実施の形態１では、Mass Storage 動作許可判断に用いる引き込み可能な電流値を充電開始動作を許可するか否かの判断に用いる引き込み可能な電流値と同一である５００ｍAとしたが、本発明はこれに限定されない。例えば、Mass Storage 動作許可判断に用いる電流値を充電開始動作を許可するか否かの判断に用いる引き込み可能な電流値と異なる100mAというように、それぞれ独立した電流値を設定してもよい。
【００５９】
また、実施の形態１では、Mass Storage 動作許可判断に用いるバッテリー３１０の残量を、接続されたパソコン等の外部機器の電流供給能力に応じて10%以上または20%以上としたが、本発明はこれに限定されない。例えば、接続された外部機器から500mA引き込めると判断した場合は、バッテリー残量が5%以上あれば起動許可とし、500mA引き込めないと判断した場合は、バッテリー残量が15%以上あれば起動許可としてもよい。要するに、外部機器から所定量の電流を引き込めると判断した場合に必要なバッテリーの残量が、外部機器から所定量の電流を引き込めないと判断した場合に必要なバッテリーの残量よりも小さければよい。
【００６０】
また、実施の形態１では、充電モード開始動作において、USB２９０が動作するために必要な最低限のブロックのみ初期化するとしたが、本発明はこれに限定されない。例えば、充電モード開始動作においても、Mass Storage 開始動作と同じように自装置全体の初期化を行ってもよい。
【００６１】
また、実施の形態１では、デジタルビデオカメラ１００と外部機器とを接続する媒体として、ＵＳＢケーブルを例示したが、本発明はこれに限定されない。例えば、例えば、無線のＵＳＢで接続されてもよいし、他のケーブルで接続されてもよい。要するに、デジタルビデオカメラ１００が電力を取得可能なインターフェースであれば何でもよい。
【００６２】
また、実施の形態１では、本発明をデジタルビデオカメラに適用した例を示したが、本発明はこれに限定されない。例えば、デジタルスチルカメラや携帯電話やパーソナルコンピュータや携帯音楽プレイヤー等にも適用可能である。
【産業上の利用可能性】
【００６３】
穂発明は、デジタルビデオカメラやデジタルスチルカメラ等の電子機器に適用できる。
【符号の説明】
【００６４】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011139251.tif 000003
【図２】
2011139251.tif 000004
【図３】
2011139251.tif 000005
【図４】
2011139251.tif 000006